【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
進化型ノードＢ（ｅＮＢ）から所定の時間においてアンライセンススペクトラムでビーコン信号をブロードキャストすることを備え、前記ビーコン信号は、前記ｅＮＢと、前記ｅＮＢが関連付けられるｅＮＢ展開のためのｅＮＢ展開構成を備える、前記ｅＮＢの少なくとも１つの関連付けられる属性とを特定し、前記ｅＮＢ展開の中の複数のｅＮＢからの複数のダウンリンク信号は同期され、前記アンライセンススペクトラムで前記ｅＮＢ展開の前記複数のｅＮＢによって同時に送信される、方法。
【請求項２】
前記ｅＮＢの前記少なくとも１つの関連付けられる属性は、前記ｅＮＢの少なくとも１つの属性を備える、請求項１に記載の方法。
【請求項３】
前記ビーコン信号のブロードキャストは、リッスンビフォアトーク（ＬＢＴ）方式から独立している、請求項１に記載の方法。
【請求項４】
前記ｅＮＢの前記少なくとも１つの関連付けられる属性は、前記ｅＮＢと関連付けられるランダムアクセスチャネル（ＲＡＣＨ）構成を備え、前記ビーコン信号はまた、少なくとも１つのユーザ機器（ＵＥ）のためのページングメッセージを備える、請求項１に記載の方法。
【請求項５】
前記ｅＮＢ展開の中の前記複数のｅＮＢは各々、同じ通信事業者によって展開される、請求項１に記載の方法。
【請求項６】
前記ビーコン信号をブロードキャストすることは、約５０ミリ秒ごとに１回という最大のブロードキャスト間隔を伴って、５％未満のデューティサイクルで前記ビーコン信号をブロードキャストすることを備える、請求項１に記載の方法。
【請求項７】
前記ビーコン信号は、
プライマリ同期信号、
セカンダリ同期信号
セル固有基準信号、
物理ブロードキャストチャネル、
グローバルセル識別子、
ＣＳＧ−ＩＤ、
ＰＬＭＮ  ＩＤ、
展開識別子、
周期的なゲーティング構造構成、
クリアチャネルアセスメントランダム化シード（ＣＣＡ−ＲＳ）、
ランダムアクセスチャネル（ＲＡＣＨ）構成、
システム情報ブロック（ＳＩＢ）、
ＳＩＢのライトバージョン（ＳＩＢ−ｌｉｔｅ）、または
それらの任意の組合せ
のうちの１つまたは複数を備える、請求項１に記載の方法。
【請求項８】
前記ビーコン信号は、前記ｅＮＢをアクティブまたは休止中であると識別する情報を備える、請求項１に記載の方法。
【請求項９】
ワイヤレス通信のための装置であって、
進化型ノードＢ（ｅＮＢ）においてビーコン信号を生成するための手段と、前記ビーコン信号は、前記ｅＮＢと、前記ｅＮＢが関連付けられるｅＮＢ展開のためのｅＮＢ展開構成を備える、前記ｅＮＢの少なくとも１つの関連付けられる属性とを特定し、前記ｅＮＢ展開の中の複数のｅＮＢからの複数のダウンリンク信号は同期され、アンライセンススペクトラムで前記ｅＮＢ展開の前記複数のｅＮＢによって同時に送信され、
所定の時間において前記アンライセンススペクトラムでビーコン信号をブロードキャストするための手段と、
を備える装置。
【請求項１０】
前記ｅＮＢの前記少なくとも１つの関連付けられる属性は、前記ｅＮＢの少なくとも１つの属性を備える、請求項９に記載の装置。
【請求項１１】
前記ビーコン信号のブロードキャストは、リッスンビフォアトーク（ＬＢＴ）方式から独立している、請求項９に記載の装置。
【請求項１２】
前記ｅＮＢの前記少なくとも１つの関連付けられる属性は、前記ｅＮＢと関連付けられるランダムアクセスチャネル（ＲＡＣＨ）構成を備え、前記ビーコン信号はまた、少なくとも１つのユーザ機器（ＵＥ）のためのページングメッセージを備える、請求項９に記載の装置。
【請求項１３】
前記ｅＮＢ展開の中の前記複数のｅＮＢは各々、同じ通信事業者によって展開される、請求項９に記載の装置。
【請求項１４】
前記ビーコン信号をブロードキャストするための前記手段は、約５０ミリ秒ごとに１回という最大のブロードキャスト間隔を伴って、５％未満のデューティサイクルで前記ビーコン信号をブロードキャストするための手段を備える、請求項９に記載の装置。
【請求項１５】
前記ビーコン信号は、
プライマリ同期信号、
セカンダリ同期信号
セル固有基準信号、
物理ブロードキャストチャネル、
グローバルセル識別子、
ＣＳＧ−ＩＤ、
ＰＬＭＮ  ＩＤ、
展開識別子、
周期的なゲーティング構造構成、
クリアチャネルアセスメントランダム化シード（ＣＣＡ−ＲＳ）、
ランダムアクセスチャネル（ＲＡＣＨ）構成、
システム情報ブロック（ＳＩＢ）、
ＳＩＢのライトバージョン（ＳＩＢ−ｌｉｔｅ）、または
それらの任意の組合せ
のうちの１つまたは複数を備える、請求項９に記載の装置。
【請求項１６】
前記ビーコン信号は、前記ｅＮＢをアクティブまたは休止中であると識別する情報を備える、請求項９に記載の装置。
【請求項１７】
ワイヤレス通信のための装置であって、
プロセッサと、
前記プロセッサと電気的に通信しているメモリと、
前記メモリに記憶された命令と、
を備え、前記命令は、
進化型ノードＢ（ｅＮＢ）から所定の時間においてアンライセンススペクトラムでビーコン信号をブロードキャストするように、前記プロセッサによって実行可能であり、前記ビーコン信号は、前記ｅＮＢと、前記ｅＮＢが関連付けられるｅＮＢ展開のためのｅＮＢ展開構成を備える、前記ｅＮＢの少なくとも１つの関連付けられる属性とを特定し、前記ｅＮＢ展開の中の複数のｅＮＢからの複数のダウンリンク信号は同期され、前記アンライセンススペクトラムで前記ｅＮＢ展開の前記複数のｅＮＢによって同時に送信される、装置。
【請求項１８】
前記ｅＮＢの前記少なくとも１つの関連付けられる属性は、前記ｅＮＢの少なくとも１つの属性を備える、請求項１７に記載の装置。
【請求項１９】
前記ビーコン信号のブロードキャストは、リッスンビフォアトーク（ＬＢＴ）方式から独立している、請求項１７に記載の装置。
【請求項２０】
前記ｅＮＢの前記少なくとも１つの関連付けられる属性は、前記ｅＮＢと関連付けられるランダムアクセスチャネル（ＲＡＣＨ）構成を備え、前記ビーコン信号はまた、少なくとも１つのユーザ機器（ＵＥ）のためのページングメッセージを備える、請求項１７に記載の装置。
【請求項２１】
前記ｅＮＢ展開の中の前記複数のｅＮＢは各々、同じ通信事業者によって展開される、請求項１７に記載の装置。
【請求項２２】
前記ビーコン信号をブロードキャストするように前記プロセッサによって実行可能な前記命令は、約５０ミリ秒ごとに１回という最大のブロードキャスト間隔を伴って、５％未満のデューティサイクルで前記ビーコン信号をブロードキャストするように、前記プロセッサによって実行可能な命令を備える、請求項１７に記載の装置。
【請求項２３】
前記ビーコン信号は、
プライマリ同期信号、
セカンダリ同期信号
セル固有基準信号、
物理ブロードキャストチャネル、
グローバルセル識別子、
ＣＳＧ−ＩＤ、
ＰＬＭＮ  ＩＤ、
展開識別子、
周期的なゲーティング構造構成、
クリアチャネルアセスメントランダム化シード（ＣＣＡ−ＲＳ）、
ランダムアクセスチャネル（ＲＡＣＨ）構成、
システム情報ブロック（ＳＩＢ）、
ＳＩＢのライトバージョン（ＳＩＢ−ｌｉｔｅ）、または
それらの任意の組合せ
のうちの１つまたは複数を備える、請求項１７に記載の装置。
【請求項２４】
前記ビーコン信号は、前記ｅＮＢをアクティブまたは休止中であると識別する情報を備える、請求項１７に記載の装置。
【請求項２５】
ワイヤレス通信システムにおけるワイヤレス通信装置による通信のためのコンピュータプログラム製品であって、前記ワイヤレス通信装置に、
進化型ノードＢ（ｅＮＢ）から所定の時間においてアンライセンススペクトラムでビーコン信号をブロードキャストさせるように、プロセッサによって実行可能な命令を記憶した、非一時的コンピュータ可読媒体を備え、前記ビーコン信号は、前記ｅＮＢと、前記ｅＮＢが関連付けられるｅＮＢ展開のためのｅＮＢ展開構成を備える、前記ｅＮＢの少なくとも１つの関連付けられる属性とを特定し、前記ｅＮＢ展開の中の複数のｅＮＢからの複数のダウンリンク信号は同期され、前記アンライセンススペクトラムで前記ｅＮＢ展開の前記複数のｅＮＢによって同時に送信される、コンピュータプログラム製品。
【請求項２６】
前記ｅＮＢの前記少なくとも１つの関連付けられる属性は、前記ｅＮＢの少なくとも１つの属性を備える、請求項２５に記載のコンピュータプログラム製品。
【請求項２７】
前記ビーコン信号のブロードキャストは、リッスンビフォアトーク（ＬＢＴ）方式から独立している、請求項２５に記載のコンピュータプログラム製品。
【請求項２８】
ワイヤレス通信のための方法であって、
進化型ノードＢ（ｅＮＢ）から所定の時間においてアンライセンススペクトラムでブロードキャストされるビーコン信号を受信することを備え、前記ビーコン信号は、前記ｅＮＢと、前記ｅＮＢが関連付けられるｅＮＢ展開構成を備える、前記ｅＮＢの少なくとも１つの関連付けられる属性とを特定し、前記ｅＮＢ展開の中の複数のｅＮＢからの複数のダウンリンク信号は同期され、前記アンライセンススペクトラムで前記ｅＮＢ展開の前記複数のｅＮＢによって同時に送信される、方法。
【請求項２９】
前記ｅＮＢの前記少なくとも１つの関連付けられる属性は、前記ｅＮＢの少なくとも１つの属性を備える、請求項２８に記載の方法。
【請求項３０】
前記ｅＮＢの前記少なくとも１つの関連付けられる属性は、前記ｅＮＢと関連付けられるランダムアクセスチャネル（ＲＡＣＨ）構成を備え、前記ビーコン信号はまた、少なくとも１つのユーザ機器（ＵＥ）のためのページングメッセージを備える、請求項２８に記載の方法。
【請求項３１】
前記ＲＡＣＨ構成を使用して前記ページングメッセージに応答することをさらに備える、請求項３０に記載の方法。
【請求項３２】
ユーザ機器（ＵＥ）において前記アンライセンススペクトラムで通信するための粗いタイミング調整を行うために、前記ビーコン信号を使用することをさらに備える、請求項２８に記載の方法。
【請求項３３】
前記ｅＮＢ展開の中の前記複数のｅＮＢは各々、同じ通信事業者によって展開される、請求項２８に記載の方法。
【請求項３４】
前記ビーコン信号を受信することは、約５０ミリ秒ごとに１回という最大の受信間隔を伴って、５％未満のデューティサイクルで前記ビーコン信号を受信することを備える、請求項２８に記載の方法。
【請求項３５】
前記ビーコン信号は、
プライマリ同期信号、
セカンダリ同期信号
セル固有基準信号、
物理ブロードキャストチャネル、
グローバルセル識別子、
ＣＳＧ−ＩＤ、
ＰＬＭＮ  ＩＤ、
展開識別子、
周期的なゲーティング構造構成、
クリアチャネルアセスメントランダム化シード（ＣＣＡ−ＲＳ）、
ランダムアクセスチャネル（ＲＡＣＨ）構成、
システム情報ブロック（ＳＩＢ）、
ＳＩＢのライトバージョン（ＳＩＢ−ｌｉｔｅ）、または
それらの任意の組合せ
のうちの１つまたは複数を備える、請求項２８に記載の方法。
【請求項３６】
前記ビーコン信号は、前記ｅＮＢをアクティブまたは休止中であると識別する情報を備える、請求項２８に記載の方法。
【請求項３７】
ワイヤレス通信のための装置であって、
進化型ノードＢ（ｅＮＢ）から所定の時間においてアンライセンススペクトラムでブロードキャストされるビーコン信号を受信するための手段と、前記ビーコン信号は、前記ｅＮＢと、前記ｅＮＢが関連付けられるｅＮＢ展開のためのｅＮＢ展開構成を備える、前記ｅＮＢの少なくとも１つの関連付けられる属性とを特定し、前記ｅＮＢ展開の中の複数のｅＮＢからの複数のダウンリンク信号は同期され、前記アンライセンススペクトラムで前記ｅＮＢ展開の前記複数のｅＮＢによって同時に送信される、
前記ｅＮＢの前記少なくとも１つの関連付けられる属性に少なくとも部分的に基づいて前記ｅＮＢ展開構成を決定するための手段と、
を備える装置。
【請求項３８】
前記ｅＮＢの前記少なくとも１つの関連付けられる属性は、前記ｅＮＢの少なくとも１つの属性を備える、請求項３７に記載の装置。
【請求項３９】
前記ｅＮＢの前記少なくとも１つの関連付けられる属性は、前記ｅＮＢと関連付けられるランダムアクセスチャネル（ＲＡＣＨ）構成を備え、前記ビーコン信号はまた、少なくとも１つのユーザ機器（ＵＥ）のためのページングメッセージを備える、請求項３７に記載の装置。
【請求項４０】
前記ＲＡＣＨ構成を使用して前記ページングメッセージに応答するための手段をさらに備える、請求項３９に記載の装置。
【請求項４１】
ユーザ機器（ＵＥ）において前記アンライセンススペクトラムで通信するための粗いタイミング調整を行うために、前記ビーコン信号を使用するための手段をさらに備える、請求項３７に記載の装置。
【請求項４２】
前記ｅＮＢ展開の中の前記複数のｅＮＢは各々、同じ通信事業者によって展開される、請求項３７に記載の装置。
【請求項４３】
前記ビーコン信号を受信するための前記手段は、約５０ミリ秒ごとに１回という最大の受信間隔を伴って、５％未満のデューティサイクルで前記ビーコン信号を受信するための手段を備える、請求項３７に記載の装置。
【請求項４４】
前記ビーコン信号は、
プライマリ同期信号、
セカンダリ同期信号
セル固有基準信号、
物理ブロードキャストチャネル、
グローバルセル識別子、
ＣＳＧ−ＩＤ、
ＰＬＭＮ  ＩＤ、
展開識別子、
周期的なゲーティング構造構成、
クリアチャネルアセスメントランダム化シード（ＣＣＡ−ＲＳ）、
ランダムアクセスチャネル（ＲＡＣＨ）構成、
システム情報ブロック（ＳＩＢ）、
ＳＩＢのライトバージョン（ＳＩＢ−ｌｉｔｅ）、または
それらの任意の組合せ
のうちの１つまたは複数を備える、請求項３７に記載の装置。
【請求項４５】
前記ビーコン信号は、前記ｅＮＢをアクティブまたは休止中であると識別する情報を備える、請求項３７に記載の装置。
【請求項４６】
ワイヤレス通信のための装置であって、
プロセッサと、
前記プロセッサと電気的に通信しているメモリと、
前記メモリに記憶された命令と、
を備え、前記命令は、
進化型ノードＢ（ｅＮＢ）から所定の時間においてアンライセンススペクトラムでブロードキャストされるビーコン信号を受信するように、前記プロセッサによって実行可能であり、前記ビーコン信号は、前記ｅＮＢと、前記ｅＮＢが関連付けられるｅＮＢ展開のためのｅＮＢ展開構成を備える、前記ｅＮＢの少なくとも１つの関連付けられる属性とを特定し、前記ｅＮＢ展開の中の複数のｅＮＢからの複数のダウンリンク信号は同期され、前記アンライセンススペクトラムで前記ｅＮＢ展開の前記複数のｅＮＢによって同時に送信される、装置。
【請求項４７】
前記ｅＮＢの前記少なくとも１つの関連付けられる属性は、前記ｅＮＢの少なくとも１つの属性を備える、請求項４６に記載の装置。
【請求項４８】
前記ｅＮＢの前記少なくとも１つの関連付けられる属性は、前記ｅＮＢと関連付けられるランダムアクセスチャネル（ＲＡＣＨ）構成を備え、前記ビーコン信号はまた、少なくとも１つのユーザ機器（ＵＥ）のためのページングメッセージを備える、請求項４６に記載の装置。
【請求項４９】
前記命令は、
前記ＲＡＣＨ構成を使用して前記ページングメッセージに応答するように、前記プロセッサによって実行可能である、請求項４８に記載の装置。
【請求項５０】
前記命令は、
ユーザ機器（ＵＥ）において前記アンライセンススペクトラムで通信するための粗いタイミング調整を行うために、前記ビーコン信号を使用するように、前記プロセッサによって実行可能である、請求項４６に記載の装置。
【請求項５１】
前記ｅＮＢ展開の中の前記複数のｅＮＢは各々、同じ通信事業者によって展開される、請求項４６に記載の装置。
【請求項５２】
前記ビーコン信号を受信することは、約５０ミリ秒ごとに１回という最大の受信間隔を伴って、５％未満のデューティサイクルで前記ビーコン信号を受信することを備える、請求項４６に記載の装置。
【請求項５３】
前記ビーコン信号は、
プライマリ同期信号、
セカンダリ同期信号、
セル固有基準信号、
物理ブロードキャストチャネル、
グローバルセル識別子、
ＣＳＧ−ＩＤ、
ＰＬＭＮ  ＩＤ、
展開識別子、
周期的なゲーティング構造構成、
クリアチャネルアセスメントランダム化シード（ＣＣＡ−ＲＳ）、
ランダムアクセスチャネル（ＲＡＣＨ）構成、
システム情報ブロック（ＳＩＢ）、
ＳＩＢのライトバージョン（ＳＩＢ−ｌｉｔｅ）、または
それらの任意の組合せ
のうちの１つまたは複数を備える、請求項４６に記載の装置。
【請求項５４】
前記ビーコン信号は、前記ｅＮＢをアクティブまたは休止中であると識別する情報を備える、請求項４６に記載の装置。
【請求項５５】
ワイヤレス通信システムにおけるワイヤレス通信装置による通信のためのコンピュータプログラム製品であって、前記ワイヤレス通信装置に、
進化型ノードＢ（ｅＮＢ）から所定の時間においてアンライセンススペクトラムでブロードキャストされるビーコン信号を受信させるように、プロセッサによって実行可能な命令を記憶した、非一時的コンピュータ可読媒体を備え、前記ビーコン信号は、前記ｅＮＢと、前記ｅＮＢが関連付けられるｅＮＢ展開構成を備える、前記ｅＮＢの少なくとも１つの関連付けられる属性とを特定し、前記ｅＮＢ展開の中の複数のｅＮＢからの複数のダウンリンク信号は同期され、前記アンライセンススペクトラムで前記ｅＮＢ展開の前記複数のｅＮＢによって同時に送信される、コンピュータプログラム製品。
【請求項５６】
前記ｅＮＢの前記少なくとも１つの関連付けられる属性は、前記ｅＮＢと関連付けられるランダムアクセスチャネル（ＲＡＣＨ）構成を備え、前記ビーコン信号はまた、少なくとも１つのユーザ機器（ＵＥ）のためのページングメッセージを備える、請求項５５に記載のコンピュータプログラム製品。
【請求項５７】
前記命令は、前記ワイヤレス通信装置に、
前記ＲＡＣＨ構成を使用して前記ページングメッセージに応答させるように、前記プロセッサによって実行可能である、請求項５６に記載のコンピュータプログラム製品。
【請求項５８】
前記命令は、前記ワイヤレス通信装置に、
ユーザ機器（ＵＥ）において前記アンライセンススペクトラムで通信するための粗いタイミング調整を行うために、前記ビーコン信号を使用させるように、前記プロセッサによって実行可能である、請求項５５に記載のコンピュータプログラム製品。